(57)【要約】【課題】  複数台のビデオカメラ（ビデオカメラ一体型映像記録装置），ワイヤレスマイクを用いて収録を行う場合に、手間をかけることなく各ビデオカメラの間で正確にタイムコードの同期を取り、且つ、映像信号と音声信号とに同じタイムコードを付加する。【解決手段】  各ビデオカメラ２-１〜２-４及び各ワイヤレスマイク３-１〜３-４と通信を行う基地局装置１を設ける。基地局装置１は、各ワイヤレスマイク３-１〜３-４から送信された音声信号を受信・合成する手段と、タイムコード発生手段と、送信手段と、音声記録手段とを備え、タイムコード発生手段で発生したタイムコードを送信手段から送信し、合成した音声信号及びこのタイムコードを音声記録手段で記録する。各ビデオカメラ２-１〜２-４は、基地局装置１からのタイムコードを受信する手段４を備え、ビデオカメラ内の撮像系で撮影し映像信号と、受信したタイムコードとを、ビデオカメラ内の映像記録系で記録する。【選択図】  図３
2007081686.tif 000002
【特許請求の範囲】
【請求項１】
複数台のビデオカメラ一体型映像記録装置と、
複数台のワイヤレスマイクロホンと、
前記ビデオカメラ一体型映像記録装置及び前記ワイヤレスマイクロホンと通信を行う基地局装置と
で構成され、
前記基地局装置は、
前記複数台のワイヤレスマイクロホンから送信された音声信号をそれぞれ受信する受信手段と、
前記受信手段で受信された複数の音声信号を合成する合成手段と、
タイムコード発生手段と、
所定の無線通信方式の送信手段と、
音声記録手段と
を備え、前記タイムコード発生手段で発生したタイムコードが前記送信手段から送信されるとともに、前記合成手段によって合成された音声信号と、前記タイムコード発生手段で発生したタイムコードとが前記音声記録手段によって記録され、
各々の前記ビデオカメラ一体型映像記録装置は、
前記基地局装置から送信されたデータを受信する受信手段
を備え、該ビデオカメラ一体型映像記録装置内の撮像系で撮影された映像信号と、前記受信手段で受信された前記タイムコードとが、該ビデオカメラ一体型映像記録装置内の映像記録系で記録される
ことを特徴とするワイヤレス収録システム。
【請求項２】
請求項１に記載のワイヤレス収録システムにおいて、
前記基地局装置の前記送信手段から、前記合成手段によって合成された音声信号がさらに送信され、
前記複数台のビデオカメラ一体型映像記録装置では、前記受信手段で受信された前記音声信号が音声出力端子から出力される
ことを特徴とするワイヤレス収録システム。
【請求項３】
請求項１に記載のワイヤレス収録システムにおいて、
前記基地局装置は、
メタデータを入力するための操作手段と、
前記操作手段の操作に基づき、前記メタデータを前記送信手段から送信させる制御手段と
をさらに備え、
前記複数台のビデオカメラ一体型映像記録装置では、前記受信手段で受信された前記メタデータがさらに前記映像記録系で記録される
ことを特徴とするワイヤレス収録システム。
【請求項４】
請求項１に記載のワイヤレス収録システムにおいて、
前記基地局装置は、
前記ビデオカメラ一体型映像記録装置の前記映像記録系を操作するための操作手段と、
前記操作手段の操作に基づき、前記ビデオカメラ一体型映像記録装置を制御する制御データを作成して前記送信手段から送信させる制御手段と
をさらに備え、
前記複数台のビデオカメラ一体型映像記録装置は、
前記受信手段で受信された前記制御データに基づいて前記映像記録系を制御する制御手段
をさらに備えたことを特徴とするワイヤレス収録システム。
【請求項５】
複数台のワイヤレスマイクロホンから送信された音声信号をそれぞれ受信する受信手段と、
前記受信手段で受信された複数の音声信号を合成する合成手段と、
タイムコード発生手段と、
所定の無線通信方式の送信手段と、
音声記録手段と
を備え、前記タイムコード発生手段で発生したタイムコードが前記送信手段から送信されるとともに、前記合成手段によって合成された音声信号と、前記タイムコード発生手段で発生したタイムコードとが前記音声記録手段によって記録されることを特徴とする基地局装置。
【請求項６】
請求項５に記載の基地局装置において、
前記送信手段から、前記合成手段によって合成された音声信号がさらに送信される
ことを特徴とする基地局装置。
【請求項７】
請求項５に記載の基地局装置において、
メタデータを入力するための操作手段と、
前記操作手段の操作に基づき、前記メタデータを前記送信手段から送信させる制御手段と
をさらに備えたことを特徴とする基地局装置。
【請求項８】
請求項５に記載の基地局装置において、
ビデオカメラ一体型映像記録装置内の映像記録系を操作するための操作手段と、
前記操作手段の操作に基づき、前記ビデオカメラ一体型映像記録装置を制御する制御データを作成して前記送信手段から送信させる制御手段と
をさらに備えたことを特徴とする基地局装置。
【発明の詳細な説明】
【技術分野】
【０００１】
本発明は、複数台のビデオカメラ一体型映像記録装置と、複数台のワイヤレスマイクロホンとを用いて収録を行うためのシステムに関する。また本発明は、そうしたシステムを構成する基地局装置に関する。
【背景技術】
【０００２】
例えば屋外でテレビジョン番組の収録を行うような場合には、通常、ビデオカメラ一体型映像記録装置（撮像系と、ＶＴＲ，ハードディスクドライブまたは光ディスクドライブのような映像記録系とが一体となった装置）を複数台用いて、同じ被写体を様々な位置や角度から撮影して映像及び音声を記録している。
【０００３】
このように複数台のビデオカメラ一体型映像記録装置（以下、単にビデオカメラとも呼ぶ）を用いて収録を行う場合の従来の方法を、映像についての方法，音声についての方法の順に以下に述べる。
【０００４】
〔映像についての従来の方法〕
屋外で収録を行うような場合には、複数台のビデオカメラで撮影した映像を、それぞれのビデオカメラ内の映像記録系で記録している。放送業務用のビデオカメラにはタイムコード発生器が内蔵されており、このタイムコード発生器で発生したタイムコードが、映像信号とともに記録される。
【０００５】
収録後に映像を編集する際には、このタイムコードに基づき、各ビデオカメラで記録された映像の時間的関係を判別する。したがって、収録時には、各ビデオカメラの間でタイムコードの同期を取る（各ビデオカメラ内のタイムコード発生器に、同じタイミングには同じ値のタイムコードを発生させる）ことが必要となる。
【０００６】
図１は、このタイムコードの同期を取るために従来行っていた方法を示す。ビデオカメラ（例えばビデオカメラ一体型ＶＴＲ）５１-１〜５１-４のうちの一台のビデオカメラ５１-１をマスターカメラとして決定し、このマスターカメラ５１-１のタイムコード出力端子と残りのビデオカメラ５１-２〜５１-４のタイムコード入力端子とをケーブル５２で接続して、マスターカメラ５１-１内のタイムコード発生器で発生したタイムコードをビデオカメラ５１-２〜５１-４に供給する。
【０００７】
ビデオカメラ５１-２〜５１-４内のＣＰＵは、このマスターカメラ５１-１から供給されるタイムコードの値と、ビデオカメラ５１-２〜５１-４内のタイムコード発生器で発生するタイムコードの値とを一定時間に亘って比較し、値にずれが生じる場合には、ずれがなくなるようにビデオカメラ５１-２〜５１-４内のタイムコード発生器の設定を調整する。そして、この調整が終了すると、各ビデオカメラ５１-１〜５１-４を接続していたケーブル５２を外して、収録を開始する。
【０００８】
なお、ビデオカメラに関するものではないが、無線通信の際に通信装置同士の同期を確立するための技術としては、第１の通信装置から読み出したタイムベースを受信する受信手段と、この受信したタイムベースを格納する格納手段と、この格納手段から読み出したタイムベースを第２の通信装置へ送信する送信手段とを備え、この第１の通信装置及び第２の通信装置が、このタイムベースを共通の同期タイミング情報として無線通信に使用するという技術が提案されている（例えば、特許文献１参照。）
【０００９】
〔音声についての従来の方法〕
近年は、ビデオカメラに付属したマイクロホンだけでなく、ワイヤレスマイクロホンを用いて被写体の音声を拾うことが多くなっている。
【００１０】
図２は、ワイヤレスマイクロホンで拾った音声を記録するために従来行っていた方法を示しており、図１と同一の部分には同一の符号を付している。ビデオカメラ５１-１〜５１-４と、ワイヤレスマイクロホン５３-１〜５３-４とを一対一に関係づける。
【００１１】
各ビデオカメラ５１-１〜５１-４には、それぞれワイヤレスマイクロホン５３-１〜５３-４からの音声信号を受信・復調するワイヤレスマイクロホンレシーバーを設ける（図にはこのワイヤレスマイクロホンレシーバーのアンテナ部５４が描かれている）。
【００１２】
各ワイヤレスマイクロホン５３-１〜５３-４から送信された音声信号は、それぞれ対応するビデオカメラ５１-１〜５１-４のワイヤレスマイクロホンレシーバーで受信・復調され、ビデオカメラ５１-１〜５１-４内の映像記録系で記録される。
【００１３】
【特許文献１】特開２００２−１４１８９１号公報（段落００３３〜４７、図６〜７）
【発明の開示】
【発明が解決しようとする課題】
【００１４】
上述したような、複数台のビデオカメラを用いて収録を行う場合の従来の方法には、次のような不都合があった。
【００１５】
〔タイムコードの同期についての不都合〕
（ａ）図１に示したように、タイムコードの同期を取るためには、複数台のビデオカメラをケーブルで接続したりケーブルを外したりする作業を行わなければならない。
（ｂ）毎回同じビデオカメラを使用するとは限っていない場合には、収録の度ごとに、使用する各ビデオカメラの間でタイムコードの同期が取れているかどうかを確認し、同期が取れていない場合に手間のかかる作業を行わなければならない。
（ｃ）一度タイムコードの同期を取っても、長時間経過すると、ビデオカメラ内の時計回路の周波数偏差等によってタイムコードの値にずれが生じてくることがある。
【００１６】
〔音声収録についての不都合〕
図２に示したように、各ビデオカメラには、対応する１台のワイヤレスマイクロホンからの音声しか入力されない。したがって、各ビデオカメラで撮影を行っているカメラマンは、撮影中に、１台のワイヤレスマイクロホンで拾われている音声を確認する（ビデオカメラの音声出力端子に繋いだイヤホンで聴く）ことはできるが、収録現場にある複数台のワイヤレスマイクロホンで全体としてどのような音声が拾われているかを確認するようなことはできない。
【００１７】
ここで、複数台のワイヤレスマイクロホンからの音声信号を、ビデオカメラではなくオーディオミキサーに入力させ、そのオーディオミキサーでそれらの音声を記録するという方法もある。しかし、この方法では、映像信号に付加されるタイムコード（ビデオカメラ内のタイムコード発生器で発生したタイムコード）と同じタイムコードが音声信号のほうに付加されなくなる。そのため、収録後に編集を行う際に、映像と音声との時間的関係を判別することが困難になってしまう。
【００１８】
また、特許文献１に記載の技術は、２つの装置の間で初期同期を確立するために用いることはできるが、上記（ｃ）のようなその後の時間の経過による同期ずれを防止することはできない。
【００１９】
本発明は、上述の点に鑑み、複数台のビデオカメラ（ビデオカメラ一体型映像記録装置）と、複数台のワイヤレスマイクロホンとを用いて収録を行う場合に、従来のように手間をかけることなく、各ビデオカメラ一体型映像記録装置の間で正確にタイムコードの同期を取れるようにし、且つ、映像信号と音声信号とに同じタイムコードが付加されるようにすることを第１の課題とする。
【００２０】
さらに、本発明は、上記第１の課題に加え、各ビデオカメラで撮影を行っているカメラマンが、撮影中に、収録現場全体としてどのような音声が拾われているかを確認できるようにすることを第２の課題とする。
【課題を解決するための手段】
【００２１】
上記第１の課題を解決するため、本発明に係るワイヤレス収録システムは、複数台のビデオカメラ一体型映像記録装置と、複数台のワイヤレスマイクロホンと、これらのビデオカメラ一体型映像記録装置及びワイヤレスマイクロホンと通信を行う基地局装置とで構成され、この基地局装置は、この複数台のワイヤレスマイクロホンから送信された音声信号をそれぞれ受信する受信手段と、この受信手段で受信された複数の音声信号を合成する合成手段と、タイムコード発生手段と、所定の無線通信方式の送信手段と、音声記録手段とを備え、このタイムコード発生手段で発生したタイムコードがこの送信手段から送信されるとともに、この合成手段によって合成された音声信号と、このタイムコード発生手段で発生したタイムコードとがこの音声記録手段によって記録され、各ビデオカメラ一体型映像記録装置は、この基地局装置から送信されたデータを受信する受信手段を備え、ビデオカメラ一体型映像記録装置内の撮像系で撮影された映像信号と、この受信手段で受信されたタイムコードとが、ビデオカメラ一体型映像記録装置内の映像記録系で記録されることを特徴とする。
【００２２】
このワイヤレス収録システムでは、複数台のワイヤレスマイクロホンから送信された音声信号が、複数台のビデオカメラ（ビデオカメラ一体型映像記録装置）ではなく、基地局装置の受信手段で受信される。この基地局装置では、この複数台のワイヤレスマイクロホンからの音声信号が、合成手段によって合成される。
【００２３】
また、この基地局装置には、タイムコード発生手段と、所定の無線通信方式の送信手段と、音声記録手段とが設けられている。そして、このタイムコード発生手段で発生したタイムコードがこの送信手段から送信されるとともに、合成手段によって合成された音声信号と、タイムコード発生手段で発生したタイムコードとが、この音声記録手段によって記録される。
【００２４】
各ビデオカメラには、この基地局装置から送信されたデータを受信する受信手段が設けられており、基地局装置内のタイムコード発生手段で発生したタイムコードが、この受信手段で受信される。各ビデオカメラでは、ビデオカメラ内の撮像系で撮影された映像信号が、このタイムコードとともに、ビデオカメラ内の映像記録系で記録される。
【００２５】
このように、このワイヤレス収録システムでは、基地局装置内のタイムコード発生手段で発生した同じタイムコードが、複数台のビデオカメラ（ビデオカメラ一体型映像記録装置）で映像信号とともに記録される。
【００２６】
これにより、従来のように、複数台のビデオカメラをケーブルで接続したりケーブルを外したりする作業を行ったり、収録の度ごとに各ビデオカメラの間でタイムコードの同期が取れているかどうかを確認したりするなどの手間をかけることなく、各ビデオカメラの間で正確にタイムコードの同期を取ることができる。
【００２７】
そして、音声信号も、この同じタイムコードとともに、基地局装置内の音声記録手段によって記録される。これにより、映像信号と音声信号とに同じタイムコードが付加される。
【００２８】
次に、本発明に係る基地局装置は、複数台の複数台のワイヤレスマイクロホンから送信された音声信号をそれぞれ受信する受信手段と、この受信手段で受信された複数の音声信号を合成する合成手段と、タイムコード発生手段と、所定の無線通信方式の送信手段と、音声記録手段とを備え、このタイムコード発生手段で発生したタイムコードがこの送信手段から送信されるとともに、この合成手段によって合成された音声信号と、このタイムコード発生手段で発生したタイムコードとがこの音声記録手段によって記録されることを特徴とする。
【００２９】
この基地局装置は、上述の本発明に係るワイヤレス収録システムを構成する基地局装置であり、複数台のビデオカメラ及び複数台のワイヤレスマイクロホンとともにこのワイヤレス収録システムを構成することにより、従来のように手間をかけることなく、各ビデオカメラの間で正確にタイムコードの同期を取ることができ、且つ、映像信号と音声信号とに同じタイムコードを付加することができる。
【００３０】
なお、本発明において、一例として、基地局装置の送信手段から、合成手段によって合成された音声信号をさらに送信し、各ビデオカメラでは、受信手段で受信されたこの音声信号を音声出力端子から出力することが好適である。
【００３１】
それにより、各ビデオカメラで撮影を行っているカメラマンは、撮影中に、この音声出力端子から出力される音声を聴くことにより、収録現場全体としてどのような音声が拾われているかを確認することができる。
【発明の効果】
【００３２】
本発明によれば、複数台のビデオカメラ（ビデオカメラ一体型映像記録装置）と、複数台のワイヤレスマイクロホンとを用いて収録を行う場合に、手間をかけることなく、各ビデオカメラの間で正確にタイムコードの同期を取ることができ、且つ、映像信号と音声信号とに同じタイムコードを付加することができるという効果が得られる。
【００３３】
さらに、各ビデオカメラで撮影を行っているカメラマンが、撮影中に、収録現場全体としてどのような音声が拾われているかを確認することができるという効果が得られる。
【発明を実施するための最良の形態】
【００３４】
以下、本発明の実施の形態を図面を用いて具体的に説明する。図３は、本発明に係るワイヤレス収録システムの構成例を示す図である。このワイヤレス収録システムは、屋外でテレビジョン番組の収録を行うためのシステムであり、１台のベースステーション１と、４台のビデオカメラ一体型ＶＴＲ２（２-１〜２-４）と、４台のワイヤレスマイクロホン３（３-１〜３-４）とで構成されている。
【００３５】
各ビデオカメラ一体型ＶＴＲ（以下、単にビデオカメラとも呼ぶ）２は、同じ被写体を様々な位置や角度から撮影し、撮影した映像をそれぞれのビデオカメラ内のＶＴＲで記録するために用いられる。後で図６を用いて説明するように、各ビデオカメラ２には、ベースステーション１から送信されるデータを受信するためのレシーバーが設けられており、図３にはそのアンテナ部４ａが描かれている。
【００３６】
各ワイヤレスマイクロホン３も、この同じ被写体の音声を様々な位置や角度から拾うために用いられる。各ワイヤレスマイクロホン３は、それぞれ、マイクロホンと、このマイクロホンからの音声信号をデジタル変調方式で送信する送信部とを有している。このようなワイヤレスマイクロホン自体の構成は周知のものであるので、その詳細な説明は省略する。ワイヤレスマイクロホン３-１〜３-４の送信周波数は、互いに重複しないように設定されている。
【００３７】
ベースステーション１は、これらのビデオカメラ２及びワイヤレスマイクロホン３と通信を行うために用いる基地局装置である。図４は、このベースステーション１の構成を示す図である。ベースステーション１には、４つのワイヤレスマイクロホンレシーバー１１（１１-１〜１１-４）と、ミキシング回路１２と、音声記録部１３と、タイムコード発生器１４と、送信部１５と、ベースステーション１全体を制御するＣＰＵ１６と、操作パネル１７とが設けられている。
【００３８】
ワイヤレスマイクロホンレシーバー（以下、単にレシーバーと呼ぶ）１１-１〜１１-４は、それぞれワイヤレスマイクロホン３-１〜３-４からの音声信号をダイバーシチ方式で受信・復調するためのものであり、図３にはその共通のアンテナ部１１ａが描かれている。各レシーバー１１は、ベースステーション１に内蔵されていてもよいし、あるいはコネクタまたはケーブルでベースステーション１に接続されるようになっていてもよい。各レシーバー１１で復調された音声信号は、図４に示すように、ミキシング回路１２に送られる。
【００３９】
ミキシング回路１２は、各レシーバー１１からの音声信号を合成して１つの出力端子から１チャンネルの音声信号として出力したり、各レシーバー１１からの音声信号をそのまま別々の出力端子から４チャンネルの音声信号として出力する回路である。ミキシング回路１２から出力された音声信号は、音声記録部１３に送られる。
【００４０】
音声記録部１３は、ディジタルマルチトラックレコーダーである。音声信号をタイムコードとともに記録可能なレコーダーでありさえすれば、音声記録部１３は、ビデオテープ，オーディオテープ，ハードディスク，光ディスク，半導体メモリ等のうちのいずれを記録媒体とするものであってもよい。
【００４１】
操作パネル１７には、ミキシング回路１２の処理内容（合成か、４チャンネル出力か）を指定するための操作釦や、音声記録部１３での記録や再生を指示するための操作釦が設けられており、この操作釦の操作に基づき、ＣＰＵ１６によってミキシング回路１２や音声記録部１３が制御される。
【００４２】
タイムコード発生器１４は、ＳＭＰＴＥタイムコードを発生するタイムコードジェネレータである。タイムコード発生器１４で発生したタイムコードは、音声記録部１３に供給される。操作パネル１７での記録指示時には、音声記録部１３により、ミキシング回路１２からの各チャンネルの音声信号が別々のトラックに記録されるとともに、このタイムコードが記録される。
【００４３】
送信部１５は、デジタル変調方式でデータを送信するトランスミッターであり、図３にはそのアンテナ部１５ａが描かれている。送信部１５の送信周波数は、ワイヤレスマイクロホン３-１〜３-４のいずれとも重複しないように設定されている。
【００４４】
タイムコード発生器１４で発生したタイムコードは、この送信部１５にも供給される。送信部１５は、このタイムコードをパケット化して送信する。図５は、このパケットの構造を例示する図である。所定のサイズのパケットに、先頭から順に、所定のビット数ずつのガードビット領域，プリアンブル領域，タイムコード領域，ＴＸコード領域が割り当てられる。ＴＸコード領域は、各ビデオカメラ２-１，２-２，２-３，２-４内の後述するレシーバー（図６のレシーバー４）を相互に識別するコードであるＴＸ１，ＴＸ２，ＴＸ３，ＴＸ４のうちのいずれか１つが書き込まれる領域である。
【００４５】
送信部１５は、タイムコード発生器１４で発生したタイムコードの個々の値毎に、タイムコード領域にその同じ値を書き込み、ＴＸコード領域にそれぞれＴＸ１，ＴＸ２，ＴＸ３，ＴＸ４を書き込んだ４つのパケットを作成する。
【００４６】
なお、図５には、１つのパケットに１組のタイムコード領域及びＴＸコード領域を割り当てた（１つのパケットでは１台のビデオカメラ２のみに宛てたタイムコードを送信する）例を示したが、１つのパケットに２組以上のタイムコード領域及びＴＸコード領域を割り当てる（１つのパケットで２台以上のビデオカメラ２に宛てたタイムコードを送信する）ようにしてもよい。
【００４７】
各ビデオカメラ２には、このようにしてベースステーション１内の送信部１５からパケット化して送信されるデータを受信するためのレシーバーが設けられている。図６は、このレシーバーを含め、各ビデオカメラ２内でのベースステーション１からの受信データの用い方を説明するために、ビデオカメラ２の構成を略示した図である。
【００４８】
レシーバー４は、ベースステーション１の送信部１５（図４）からのデータを受信・復調するためのものである（前述のように、図３にはそのアンテナ部４ａが描かれている）。レシーバー４は、ビデオカメラ２にコネクタで接続されていてもよいし、あるいはビデオカメラ２に内蔵またはケーブルで接続されるようになっていてもよい。
【００４９】
レシーバー４は、図５に示したパケットを復調すると、そのパケットのＴＸコード領域内のコード（ＴＸ１，ＴＸ２，ＴＸ３またはＴＸ４）を読み出して、自己のコードと一致するか否かを判別する。そして、一致した場合にのみ、その直前のタイムコード領域からタイムコードを読み出し、そのタイムコードを、ビデオカメラ２内の映像記録系（ＶＴＲ部）２１に送る。ＶＴＲ部２１は、所定の映像記録フォーマット（例えばＤＶＣＡＭ）に従い、ビデオカメラ２内の撮像系（ＣＣＤカメラ部）２２からの映像信号をビデオテープに記録するとともに、このタイムコードをビデオテープに記録する。
【００５０】
このように、このワイヤレス収録システムでは、ベースステーション１内のタイムコード発生器１４で発生した同じタイムコードが、複数台のビデオカメラ（ビデオカメラ一体型ＶＴＲ）２で映像信号とともに記録される。
【００５１】
これにより、従来のように、複数台のビデオカメラをケーブルで接続したりケーブルを外したりする作業を行ったり、収録の度ごとに各ビデオカメラの間でタイムコードの同期が取れているかどうかを確認したりするなどの手間をかけることなく、各ビデオカメラの間で正確にタイムコードの同期を取ることができる。
【００５２】
そして、音声信号も、この同じタイムコードとともに、ベースステーション１内の音声記録部１３によって記録される。これにより、映像信号と音声信号とに同じタイムコードが付加される。
【００５３】
収録後に編集を行う際には、このタイムコードに基づき、各ビデオカメラ２で記録された映像同士の時間的関係を判別することや、ビデオカメラ２で記録された映像とベースステーション１で記録された音声との時間的関係を判別することができる。
【００５４】
次に、図７は、本発明に係るワイヤレス収録システムの別の構成例を示す図であり、図３と同一のハードウェアには同一符号を付している。このワイヤレス収録システムは、１台のベースステーション３１と、４台のビデオカメラ一体型ＶＴＲ３２（３２-１〜３２-４）と、４台のワイヤレスマイクロホン３（３-１〜３-４）とで構成されている。
【００５５】
各ビデオカメラ一体型ＶＴＲ（以下、単にビデオカメラとも呼ぶ）３２は、図３のシステムにおける各ビデオカメラ２と全く同様に、同じ被写体を様々な位置や角度から撮影し、撮影した映像をそれぞれのビデオカメラ内のＶＴＲで記録するために用いられる。各ビデオカメラ３２にも、図３のビデオカメラ２と同じレシーバー４（後出の図１０）が設けられており、図７にはそのアンテナ部４ａが描かれている。
【００５６】
ワイヤレスマイクロホン３も、図３のシステムにおけるのと同一のものであり、同じ被写体の音声を様々な位置や角度から拾うために用いられる。
【００５７】
ベースステーション３１は、これらのビデオカメラ３２及びワイヤレスマイクロホン３と通信を行うために用いる基地局装置である。図８は、このベースステーション３１の構成を示す図であり、図３のシステムのベースステーション１と同一のハードウェア（図４）には同一符号を付して重複説明を省略する。ベースステーション３１には、レシーバー１１（１１-１〜１１-４）と、ミキシング回路４１と、音声記録部１３と、タイムコード発生器１４と、送信部１５と、ＣＰＵ１６と、操作パネル４２とが設けられている。
【００５８】
各レシーバー１１で復調された音声信号は、ミキシング回路４１に送られる。ミキシング回路４１は、図４のミキシング回路１２と同様に１チャンネルまたは４チャンネルの音声信号（各レシーバー１１からの音声信号を合成したものか、各レシーバー１１からの音声信号そのまま）を音声記録部１３に供給することに加えて、各レシーバー１１からの音声信号を合成した１チャンネルの音声信号を、モニター用音声信号として送信部１５に供給する。
【００５９】
タイムコード発生器１４で発生したタイムコードは、音声記録部１３に供給されるとともに、送信部１５に供給される。
【００６０】
操作パネル４２には、図４の操作パネル１７と同様の操作釦に加えて、一部または全部のビデオカメラ３２を指定してそのビデオカメラ３２を操作する（映像の記録開始操作や記録終了操作を行う）ための操作釦が設けられている。
【００６１】
ＣＰＵ１６は、この操作釦の操作に従い、指定されたビデオカメラ３２宛てに、ＶＴＲ部を制御する制御データを作成し、その制御データを送信部１５に供給する。
【００６２】
また、操作パネル４２には、一部または全部のビデオカメラ３２を指定して、収録した素材を管理するためのメタデータ（収録場所，収録日時，参加したスタッフ等々の情報）や、撮影情報（例えば、記録される映像のうちの重要なシーンに印を付けるための情報）を入力するための操作釦が設けられている。
【００６３】
ＣＰＵ１６は、この操作釦の操作に従い、指定されたビデオカメラ３２宛てにメタデータや撮影情報を作成し、そのメタデータや撮影情報を送信部１５に供給する。
【００６４】
ここでは、送信部１５は、これらのタイムコード，モニター用音声信号，制御データ，メタデータ及び撮影情報をパケット化して送信する。図９は、このパケットの構造を例示する図である。所定のサイズのパケットに、先頭から順に、所定のビット数ずつのガードビット領域，プリアンブル領域，タイムコード領域，モニター用音声信号領域，制御データ領域，メタデータ領域，ＴＸコード領域が割り当てられる。ＴＸコード領域は、図５のパケットのＴＸコード領域と同じく、各ビデオカメラ２-１，２-２，２-３，２-４内の後述するレシーバー（図１０のレシーバー４）を相互に識別するコードであるＴＸ１，ＴＸ２，ＴＸ３，ＴＸ４のうちのいずれか１つが書き込まれる領域である。
【００６５】
送信部１５は、タイムコード発生器１４で発生したタイムコードの個々の値毎に、タイムコード領域にその同じ値を書き込み、モニター用音声信号領域にモニター用音声信号を書き込み、ＴＸコード領域にそれぞれＴＸ１，ＴＸ２，ＴＸ３，ＴＸ４を書き込んだ４つのパケットを作成する。
【００６６】
そして、いずれかのビデオカメラ３２宛ての制御データが供給されている場合には、そのビデオカメラ３２に対応するパケット（そのビデオカメラ３２内のレシーバーのコードをＴＸコード領域に書き込んだパケット）の制御データ領域に、その制御データを書き込む。
【００６７】
また、いずれかのビデオカメラ３２宛てのメタデータや撮影情報が供給されている場合には、そのビデオカメラ３２に対応するパケット（そのビデオカメラ３２内のレシーバーのコードをＴＸコード領域に書き込んだパケット）のメタデータ領域に、そのメタデータや撮影情報を書き込む。
【００６８】
なお、図９には、１つのパケットに１組のタイムコード領域，モニター用音声信号領域，制御データ領域，メタデータ領域及びＴＸコード領域を割り当てた（１つのパケットでは１台のビデオカメラ３２のみに宛てたタイムコード，モニター用音声信号，制御データ，メタデータ及び撮影情報を送信する）例を示したが、１つのパケットに２組以上のタイムコード領域，モニター用音声信号領域，制御データ領域，メタデータ領域及びＴＸコード領域を割り当てる（１つのパケットで２台以上のビデオカメラ３２に宛てたタイムコード，モニター用音声信号，制御データ，メタデータ及び撮影情報を送信する）ようにしてもよい。
【００６９】
各ビデオカメラ３２には、図３のビデオカメラ２と同じレシーバー４が設けられている。図１０は、このレシーバー４を含め、各ビデオカメラ３２内でのベースステーション３１からの受信データの用い方を説明するために、ビデオカメラ３２の構成を略示した図であり、図６と重複する部分には同一符号を付している。
【００７０】
レシーバー４は、図９に示したパケットを復調すると、そのパケットのＴＸコード領域内のコード（ＴＸ１，ＴＸ２，ＴＸ３またはＴＸ４）を読み出して、自己のコードと一致するか否かを判別する。そして、一致した場合にのみ、その直前のタイムコード領域，モニター用音声信号領域，制御データ領域，メタデータ領域からそれぞれタイムコード，モニター用音声信号  制御データ，メタデータ及び撮影情報を読み出す（但し、制御データ，メタデータ及び撮影情報は、前述のように、ベースステーション３１の操作パネル４２で指定された場合にのみ書き込まれている）。
【００７１】
そして、レシーバー４は、読み出したタイムコード，メタデータ及び撮影情報を、ビデオカメラ２内の映像記録系（ＶＴＲ部）２１に送る。ＶＴＲ部２１は、所定の映像記録フォーマット（例えばＤＶＣＡＭ）に従い、ビデオカメラ２内の撮像系（ＣＣＤカメラ部）２２からの映像信号をビデオテープに記録するとともに、このタイムコード，メタデータ及び撮影情報をビデオテープに記録する。
【００７２】
また、レシーバー４は、読み出したモニター用音声信号（ベースステーション３１内のミキシング回路４１で合成された各ワイヤレスマイクロホン３からの音声信号）を、アナログ音声信号に変換して、音声出力端子２３に供給する。
【００７３】
また、レシーバー４は、読み出した制御データを、ビデオカメラ３２内の各部を制御するＣＰＵ２４に送る。ＣＰＵ２４は、この制御データに従ってＶＴＲ部２１の動作（記録開始や記録終了）を制御する。
【００７４】
このワイヤレス収録システムでは、図３に示したワイヤレス収録システムと同様の作用効果が得られることに加えて、各ビデオカメラ（ビデオカメラ一体型ＶＴＲ）３２で撮影を行っているカメラマンが、撮影中に、音声出力端子２３から出力されるモニター用音声をイヤホン等で聴くことにより、収録現場全体の音声を確認することができる。
【００７５】
さらに、収録中に、ベースステーション３１を操作するオペレータが、収録した素材を管理するためのメタデータや、撮影情報を作成して、所望のビデオカメラ３２に記録させることができる。
【００７６】
さらに、収録の最中に、ベースステーション３１を操作するオペレータが、所望のビデオカメラ３２を遠隔操作することもできる。
【００７７】
なお、以上の例では、複数台のワイヤレスマイクロホン３を、全て被写体の音声を拾うために用いている。しかし、別の例として、図７のシステムにおいて、１台のワイヤレスマイクロホン３を、撮影監督の音声を拾うために用いるようにし、ベースステーション３１内で、この撮影監督の音声を、ミキシング回路４１で合成したり音声記録部１３に供給したりすることなく送信部１５から送信するようにしてもよい。
【００７８】
それにより、撮影監督とは離れた場所で撮影を行っているカメラマンが、ビデオカメラ３２の音声出力端子２３（図１０）から出力される音声をイヤホン等で聴くことにより、撮影監督からの指示をはっきりと確認することができるようになる。
【００７９】
また、図３または図７のシステムにおいて、カメラマンに伝える撮影条件等の情報を入力するための操作釦を操作パネルにさらに設け、この操作釦によって入力された情報もベースステーションから送信するようにしてもよい。そして、各ビデオカメラにおいて、この情報がビューファインダに文字として表示される（撮影中には、字幕のようにして映像と合成して表示される）ようにしてもよい。
【００８０】
それにより、カメラマンが、撮影開始前や撮影中に、撮影条件等を視覚的に確認することができるようになる。
【００８１】
また、図７のシステムでは、メタデータや撮影情報をベースステーション３１の送信部１５から送信してビデオカメラ３２で記録しているが、別の例として、メタデータや撮影情報をベースステーション３１内の音声記録部１３のほうで記録するようにしてもよい。
【００８２】
また、以上の例では、ベースステーション１内の音声記録部１３が、マルチトラックレコーダーであると説明した。しかし、例えばミキシング回路１２やミキシング回路４１で音声信号の合成のみを行う（４チャンネル出力を行わない）場合には、マルチトラックに対応していないレコーダーを音声記録部１３として用いてもよい。
【００８３】
また、以上の例では、ベースステーション・ビデオカメラ間でデジタル変調方式によって信号を送受信している。しかし、図３のシステムのようにタイムコードのみをベースステーション・ビデオカメラ間で送受信する場合には、ベースステーション・ビデオカメラ間の送受信方式としてアナログ変調方式や赤外線方式を採用してもよい。
【００８４】
また、以上の例ではビデオカメラ，ワイヤレスマイクロホンの台数をそれぞれ４台としているが、それ以外の台数であってもよいことはもちろんである。そして、本発明に係るワイヤレス収録システムでは、ビデオカメラとワイヤレスマイクロホンとを一対一に関係付ける必要はないので、ビデオカメラの台数とワイヤレスマイクロホンの台数とが異なっていてもよい。
【００８５】
また、以上の例ではビデオカメラ一体型ＶＴＲを用いているが、これに限らず、映像記録系としてハードディスクドライブまたは光ディスクドライブを設けたビデオカメラ一体型映像記録装置も、本発明に係るワイヤレス収録システムにおいて用いてよいことはもちろんである。
【図面の簡単な説明】
【００８６】
【図１】複数台のビデオカメラでタイムコードの同期を取るための従来の方法を示す図である。
【図２】ワイヤレスマイクロホンを用いて音声を記録するための従来の方法を示す図である。
【図３】本発明に係るワイヤレス収録システムの構成例を示す図である。
【図４】図３のベースステーションの構成を示す図である。
【図５】図４の送信部で作成されるパケットの構造を示す図である。
【図６】図３のビデオカメラでの受信データの用い方を説明する図である。
【図７】本発明に係るワイヤレス収録システムの構成例を示す図である。
【図８】図７のベースステーションの構成を示す図である。
【図９】図８の送信部で作成されるパケットの構造を示す図である。
【図１０】図７のビデオカメラでの受信データの用い方を説明する図である。
【符号の説明】
【００８７】
１  ベースステーション、  ２-１〜２-４  ビデオカメラ一体型ＶＴＲ、  ３-１〜３-４  ワイヤレスマイクロホン、  ４  レシーバー、  １１-１〜１１-４  ワイヤレスマイクロホンレシーバー、  １２  ミキシング回路、  １３  音声記録部、  １４  タイムコード発生器、  １５  送信部、  １６  ＣＰＵ、  １７  操作パネル、  ２１  映像記録系（ＶＴＲ部）、  ２２  撮像系（ＣＣＤカメラ部）、  ２３  音声出力端子、  ２４  ＣＰＵ、  ３１  ベースステーション、  ３２-１〜３２-４  ビデオカメラ一体型ＶＴＲ、  ４１  ミキシング回路、  ４２  操作パネル
【図１】
2007081686.tif 000003
【図２】
2007081686.tif 000004
【図３】
2007081686.tif 000005
【図４】
2007081686.tif 000006
【図５】
2007081686.tif 000007
【図６】
2007081686.tif 000008
【図７】
2007081686.tif 000009
【図８】
2007081686.tif 000010
【図９】
2007081686.tif 000011
【図１０】
2007081686.tif 000012